(57)【要約】【課題】椅子にカバーを、正確な位置で、外観が良く、かつ、強固に取付できるようにする。【解決手段】横断面を、一端が開口する係止溝６ｃを有するフック状に形成した帯状の第１の止具６と、平板で帯状の第２の止具８を用い、カバー５の端縁と、椅子本体１における前記カバー５の端縁に対応する位置のいずれか一方に前記の第１の止具６を、他方に前記の第２の止具８を、第２の止具８を第１の止具６の係止溝６ｃに嵌入することによりカバー５の張り状態が保持されるようにして付設する。【選択図】        図４
2005192835.tif 000002
【特許請求の範囲】
【請求項１】
椅子本体にカバーを取り外し可能に取り付けるためのカバーの取付装置において、横断面を、一端が開口する係止溝を有するフック状に形成した帯状の第１の止具と、平板で帯状の第２の止具を用い、カバーの端縁と、椅子本体における前記カバーの端縁に対応する位置のいずれか一方に前記の第１の止具を、他方に前記の第２の止具を、第２の止具を第１の止具の係止溝に嵌入することによりカバーの張り状態が保持されるようにして付設したことを特徴とする椅子のカバーの取付装置。
【請求項２】
前記第１の止具を椅子本体側に固設し、前記第２の止具をカバーの端部に設けた請求項１記載の椅子のカバーの取付装置。
【発明の詳細な説明】
【技術分野】
【０００１】
本発明はチェアやソファー（以下椅子という）におけるカバーの取付装置に関する。
【背景技術】
【０００２】
従来、椅子にカバーを取り外し可能に取り付ける方法として、椅子本体とカバーとの一方に雄型面ファスナーを付設し、他方に雌型面ファスナーを付設して、この面ファスナーを介してカバーを椅子本体に取り外し可能に取り付けるようにしたものが一般的に知られている。
【発明の開示】
【発明が解決しようとする課題】
【０００３】
前記のように、カバーを面ファスナーにより取り付ける方法においては、面ファスナーの面幅内では、どこでも止着できるため、カバーを正確な位置に止着しにくい問題がある。
【０００４】
更に、カバーは洗濯できるものが多く、カバーを洗濯した場合にそのカバーが縮小すると、カバー側の面ファスナーと椅子本体側の面ファスナーとの位置ズレが生じ、カバーをきれいに張れなかったり、縮み方が不均等であるとカバーが波を打ったように取り付けられる問題もある。
【０００５】
更に、面ファスナーの保持力はあまり強くないため、着席してカバーをずらした場合には面ファスナーの止着が外れる問題もある。
【０００６】
更に、面ファスナーは、使用期間が長くなると、ゴミなどの付着により、止着が悪くなり、カバーがずれやすくなる問題もある。
【０００７】
本発明は前記の問題を解決する椅子のカバーの取付装置を提供することを目的とするものである。
【課題を解決するための手段】
【０００８】
前記の課題を解決するために、請求項１記載の発明は、椅子本体にカバーを取り外し可能に取り付けるためのカバーの取付装置において、横断面を、一端が開口する係止溝を有するフック状に形成した帯状の第１の止具と、平板で帯状の第２の止具を用い、カバーの端縁と、椅子本体における前記カバーの端縁に対応する位置のいずれか一方に前記の第１の止具を、他方に前記の第２の止具を、第２の止具を第１の止具の係止溝に嵌入することによりカバーの張り状態が保持されるようにして付設したことを特徴とするものである。
【０００９】
本発明によれば、第２の止具を第１の止具の開口部から差し込んでカバーを張ることにより、カバーが引っ張られて第２の止具が第１の止具の係止溝の奥側へ引っ張られると、その第２の止具の端部が第１の止具の係止溝の底面に当たり、第１の止具と第２の止具の相互の位置関係が正確に定まる。
【００１０】
また、第１の止具と第２の止具が嵌合状態で連結されるため、従来の面ファスナーによる保持力に比べて強固な保持力でカバーが保持される。
【００１１】
また、第２の止具における幅方向側の端面を長手方向において直線状に形成し、第１の止具における係止溝の底面を長手方向において直線状に形成できるため、これらの直線面が相互に当たって、カバーの端部が直線状になる。
【００１２】
請求項２記載の発明は、請求項１記載の発明において、前記第１の止具を椅子本体側に固設し、前記第２の止具をカバーの端部に設けたものである。
本発明においても前記と同様の作用を発揮する。
【発明の効果】
【００１３】
本発明によれば、従来の面ファスナーによる取り付けに比べて、カバーを正確な位置に取り付けることができるとともに、カバーの保持力が強いため、使用中においてカバーの位置がずれたり、外れたりすることを防止できる。
【００１４】
更に、洗濯により、全体にまたは不均等に縮んだカバーであっても、これを引っ張った状態で強固に保持して張ることができるため、カバーに波やしわを生じることなく、カバーの張り上がりをきれいにすることができる。
【００１５】
更に、カバーの端縁を直線状に張ることができるため、カバーとそうでない部分の境界線がきれいに仕上がり、美観が良くなる。
【００１６】
更に、従来の面ファスナーのようなゴミの付着による保持力低下がなく、カバーを長期にわたって強固に保持することができる。
【発明を実施するための最良の形態】
【００１７】
本発明を実施するための最良の形態を図に示す実施例に基づいて説明する。
なお、本発明はチェアやソファーなどの椅子に適用するもので、以下、チェアやソファーを含めた意味で椅子という。
【００１８】
図１はカバーを付設しない状態の椅子本体を示し、図２は図１の椅子にカバーを付設した状態を示す。
【００１９】
図１の椅子本体１において、２はシート部、３は背もたれ部、４は背もたれ部３と一体に形成された肘掛部である。
【００２０】
前記の椅子本体１において、付設されるカバー５の端縁と対応する位置、すなわち、カバーの端縁を止着する部分には第１の止具６が固着して設けられている。この第１の止具６は、図の実施例では、図１に示すように、シート部２の前側下部における左右方向の略全長（この部分の第１の止具を６Ａとする）と、肘掛部４の外側下部における前後方向の略全長（この部分の第１の止具を６Ｂとする）と、シート部２における肘掛部４を除く外側下部の前後方向の略全長（この部分の第１の止具を６Ｃとする）と、シート部２の両側の上下方向の略全長（この部分の第１の止具を６Ｄとする）と、図３に示すように背もたれ部３の裏側下部における左右方向の略全長（この部分の第１の止具を６Ｅとする）と、肘掛部４の前側の内外面における上下方向の略全長（この部分の第１の止具を６Ｆとする）にわたって設けられている。また、これらの第１の止具６は、図３乃至図５に示すように、椅子本体１の木枠７に取り付けられている。
【００２１】
また、カバー５は前記のシート部２、背もたれ部３、肘掛部４，４を被覆できる形状に形成され、該カバー５を椅子本体１にかぶせた状態において、前記各第１の止具６と対応する端縁に沿って第２の止具８が設けられている。
【００２２】
次に、前記第１の止具６と第２の止具８について説明する。
第１の止具６は図７に示すように、横断面において、取付片６ａと、該取付片６ａの幅方向の一端側をＵターン状に折曲してなる係止片６ｂとからなり、これら取付片６ａと係止片６ｂ間に係止溝６ｃを設け、該係止溝６ｃの一端に開口部６ｄを設けて、フック状に形成されている。また、前記各片６ａ，６ｂは帯状に形成されている。実施例においては、図８に示すように前記取付片６ａの幅Ｌ１を約２１ｍｍに設定し、前記係止片６ｂの幅Ｌ２を約１３ｍｍに設定し、係止溝６ｃの幅Ｌ３を約４ｍｍに設定している。更に、該第１の止具６は合成樹脂で長尺（帯状）に形成されている。
【００２３】
第２の止具８は平板状の帯板で形成され、一端８ａと他端８ｂ間の幅Ｌ５の長さは、その他端８ｂ側を前記第１の止具６における係止溝６ｃの底面まで嵌入した状態において一端８ａ側が係止溝６ｃから突出する長さに設定されており、実施例においては約２５ｍｍに設定されている。該第２の止具８は合成樹脂で形成され、かつ、その幅方向には曲がりにくく、長手方向には曲がりやすいような組織に形成されている。該第２の止具８の板厚は約１．５ｍｍに形成されている。また、該第２の止具８の長手方向の長さは、これらが嵌合する第１の止具６の長手方向の長さと略同一長に形成されている。
【００２４】
前記の第１の止具６は、その係止片６ｂが外側に位置し、かつ、その係止溝６ｃの開口部６ｄが、カバー８の端縁側に指向するようにして椅子本体１の木枠７に、取付片６ｂをタッカーなどの止金具９により取り付けて設ける。すなわち、前記の第１の止具６Ａ，６Ｂ，６Ｃ，６Ｅは、その開口部６ｄを下向きにして取り付けられている。また、第１の止具６Ｄは、その開口部６ｄを後ろ向きにして取り付けられ、第１の止具６Ｆは、その開口部６ｄを前向きにして取り付けられている。
【００２５】
また、第２の止具８は、図４及び図８に示すように、カバー５の裏側に配置し、カバー５の端部を、第２の止具８の幅方向の一端８ａで折り返して、そのカバー５の端部をステッチ１０，１１で第２の止具８に固着して設けられている。したがって、第２の止具８の幅方向の他端８ｂ側はカバー５の裏側端部において、カバー５の主体部と離間した状態で、かつ、カバー５の主体部側に向かって突出するように設けられている。該第２の止具８はカバー５の端縁に沿って設けられている。
【００２６】
図において、１２は椅子本体１側の内張材を示し、１３はウレタンなどのクッション材を示す。
【００２７】
次に、図に示すソファーにおいては、そのシート部２の中央部に分割部１４が形成されているため、この部分でのカバー５はシート部２に対して図６に示すように取り付けられている。
【００２８】
分割部１４におけるシート部２側には布片１５を固設するとともに該布片１５にファスナーの一方の金具１６を設け、カバー５側には布片１７を固設するとともに該布片１７にファスナーの他方の金具１８を固設し、これら両金具１６，１８を開閉具１９により分離可能に連結するようになっている。
【００２９】
また、シート部２におけるカバー５の奥部は、図３に示すように、シート部２と背もたれ３との隙間において、シート部２に対して面ファスナー２０により分離可能に止着するようになっている。更に、背もたれに被せられるカバー５の前側の下端部は、図３に示すように、背もたれ３の前側とシート部２側との間に差し込むようになっている。
【００３０】
以上の構成において、シート部２のカバー５を止着するには、先ず、分割部１４の部分をファスナー１６，１８で止着する。次に、前側の第２の止具８を、図８に示すように、その他端８ｂ側を第１の止具６Ａの係止溝６ｃに下から差し込んで嵌合し、カバー５の奥部の端部を図３に示すように面ファスナー２０で止着する。また、シート部２のカバー５の両端の下部は、若干引っ張って、その第２の止具８，８を第１の止具６Ｃ，６Ｃの係止溝６ｃ，６ｃに下側から差し込んで嵌合する。更に、第１の止具６Ｄ，６Ｄに対しても、これに対応する第２の止具８を，後側から嵌合して張る。
【００３１】
また、背もたれのカバー５は、先ず後側下端の第２の止具８を第１の止具６Ｅの係止溝６ｃに下から差し込んで嵌合し、次に、前側部をシート部２側との間に差し込む。肘掛けのカバー５は、その内外の第２の止具８を若干引っ張って第１の止具６Ｆの係止溝６ｃに前側から差し込んで嵌合して張る。
【００３２】
以上のように、第１の止具６の係止溝６ｃに嵌合された状態の第２の止具８は、これに止着されたカバー５に主体部方向（図８の矢印Ａ方向）の引っ張り力が作用して倒れようとしても、その第２の止具８が第１の止具６の取付片６ａと係止片６ｂに当たり、該第２の止具８は倒れない。したがって、第２の止具８は第１の止具６から外れない。そのため、カバー５は椅子本体１に強固に保持される。
【００３３】
以上のことから、次のような効果を発揮できる。
第１の止具６と第２の止具８との嵌合により、第２の止具８の他端８ｂが第１の止具６における係止溝６ｃの底面に当たって、カバー５の止め位置が正確に定まるため、カバー５を正確な位置に張ることができる。
【００３４】
また、第２の止具８が第１の止具６に強固に保持されるため、仮にカバー５が洗濯により縮んでも、このカバー５を引っ張って第２の止具８を第１の止具６に嵌合することにより、カバー５の縮み力に抗してカバー５を張ることができ、張り上がりを良くすることができる。
【００３５】
また、第１の止具６と第２の止具８を樹脂で形成したので、その長手方向に直線状に形成しやすく、また、第１の止具６とこれに対応して嵌合する第２の止具８の長さを相互に略同一長に形成することにより、シート５の端部が第２の止具８の幅方向の端面によって長手方向の全長にわたって直線状になり、カバー５の端部の仕上がりがきれいで、かつ、カバー部分と、そうでない部分との境界線がきれいになる。また、カバーが洗濯により不均等に縮んでも、前記のように直線状に張ることができ、カバーが波打って張られることを防止できる。
【００３６】
図９は前記の第１の止具６をカバー５側に付設し、第２の止具８を椅子本体１側に付設した他の実施例を示す。本実施例において、前記実施例と同一部分には前記と同一の符号を付してその説明を省略する。
【００３７】
この図９の実施例においても、カバー５が図９の矢印Ａ方向に引っ張られると、第１の止具６における係止溝６ｃの底面が第２の止具８に当たって正確な位置決めがされ、かつ、第１の止具６が第２の止具８に当たって倒れない。したがって、本実施例においても前記実施例と同様の作用、効果が得られる。
【００３８】
なお、実施例では、各第１の止具６Ａ〜６Ｆ及び各第２の止具８を１本もので形成したが、それぞれを、所望の長さに分断して形成しても良い。
【００３９】
また、前記第１の止具６と第２の止具８との連結部以外のカバーの止着は前記実施例以外の方法でもよい。
【００４０】
更に、本発明は、前記実施例のソファーに限るものではなく、ソファーやチェアを含む椅子に適用できるものである。
【図面の簡単な説明】
【００４１】
【図１】本発明の実施例を示す椅子本体を示す斜視図。
【図２】図１の椅子本体にカバーを付設した斜視図。
【図３】図２の側断面図。
【図４】図２におけるカバー取付部を示す拡大側断面図で、（ａ）は前側、（ｂ）は後側を示す。
【図５】図２における正断面図。
【図６】図２におけるシート部の中央部におけるカバーの取付状態を示す断面図。
【図７】本発明における止具を示す斜視図。
【図８】図７の止具の嵌合状態を示す横断面図。
【図９】本発明の他の実施例を示す断面図。
【符号の説明】
【００４２】
１  椅子本体
５  カバー
６  第１の止具
６ｃ  係止溝
８  第２の止具
【図１】
2005192835.tif 000003
【図２】
2005192835.tif 000004
【図３】
2005192835.tif 000005
【図４】
2005192835.tif 000006
【図５】
2005192835.tif 000007
【図６】
2005192835.tif 000008
【図７】
2005192835.tif 000009
【図８】
2005192835.tif 000010
【図９】
2005192835.tif 000011